(57)【特許請求の範囲】
【請求項１】
火災受信機から導出された感知器回線に火災感知器を接続して、双方向で信号を送受するようにした多重伝送火災受信システムにおいて、
火災受信機は、感知器回線に、感知器アドレスを異ならせて指定したポーリング信号を順次出力するとともに、そのポーリング信号に対する火災感知器からの応答信号を受信処理するためのポーリング制御部と、応答信号を受信した火災感知器を指定して、順次、所定の試験信号を出力したときに、返信されて来る応答信号を解読することによって、火災感知器の応答制御動作を解読して、正常、不良を判別し、その判別結果に応じて、予め準備されている制御信号を送信する制御手段とを備えてなり、
上記制御手段は、火災感知器に送信した所定の試験信号に対して、火災感知器から受信した応答信号の正常、不良の判別結果と、これに応じて送信される制御信号とを対応させて、予め記憶させた、セルフテストテーブルを備え、且つ、上記セルフテストテーブルは、上記所定の試験信号と、これに対する応答信号の正常、不良の判別結果に応じて送信される制御信号とを、書き換え可能に記憶できる構成にしている多重伝送火災受信システム。
【発明の詳細な説明】
【０００１】
【発明の属する技術分野】
本発明は、火災受信機から導出された感知器回線に火災感知器を接続して、双方向で信号を送受するようにした多重伝送火災受信システムに関する。
【従来の技術】
図４は、従来の火災感知器のローカル動作確認方法を説明するために示した多重伝送火災受信システムの概略図である。
【０００２】
従来から、ビルやマンション等には火災受信機から導出された感知器回線Ｌに火災感知器を接続して、双方向で信号を送受するようにした多重伝送火災受信システムが導入され、例えば、各部屋やフロアなどに火災感知器Ｂ、Ｂ…を設置すると共に、集中監視室や管理人室などに火災受信機Ａを設置し、その火災感知器Ｂからの発報信号や、煙濃度、周囲温度などのデータを基に、火災の発生を監視している。
【０００３】
このような多重伝送火災受信システムでは、火災感知器Ｂの動作確認を実行するため、火災感知器Ｂを感知器回線Ｌに接続して施工した後、実際の煙を火災感知器Ｂに近づけて火災感知器Ｂが起動するか否かを火災受信機Ａで確認するあぶり試験方法等によって、火災感知器Ｂのローカル動作確認を行っていた。
【発明が解決しようとする課題】
しかしながら、従来の火災受信システムでは、火災感知器Ｂのローカル動作確認は、火災感知器Ｂを感知器回線Ｌに接続されたときには、直ちに実行されないため、例えば、接続された火災感知器Ｂが不良品であっても、その後のローカル動作試験結果をもとに、上記不良品の取替え作業などを行わなければならず、また、ローカル動作確認の試験結果は、火災受信機Ａ側で確認されるため、火災感知器Ｂの現場では、上記試験結果を直ちに確認できず、施工効率が悪いという問題があった。
【０００４】
本発明は、上記事情を考慮してなされたものであり、火災感知器の種々のローカル動作確認を火災感知器Ｂの施工時に現場において確認でき、施工効率を高めることを目的としている。
【課題を解決するための手段】
上記目的を達成するため、
本発明に係る多重伝送火災受信システムでは、火災受信機から導出された感知器回線に、感知器アドレスを異ならせて指定したポーリング信号を順次出力するとともに、そのポーリング信号に対する火災感知器からの応答信号を受信処理するためのポーリング制御部と、応答信号を受信した火災感知器を指定して、順次、所定の試験信号を出力したときに、返信されて来る応答信号を解読することによって、火災感知器の応答制御動作を解読して、正常、不良を判別し、その判別結果に応じて、予め準備されている制御信号を送信する制御手段とを備えてなり、上記制御手段は、火災感知器に送信した所定の試験信号に対して、火災感知器から受信した応答信号の正常、不良の判別結果と、これに応じて送信される制御信号とを対応させて、予め記憶させた、セルフテストテーブルを備えており、どんな試験を行ない、その結果、どんな動作を行なわせるかを、火災受信機側のセルフテストテーブルによって記憶できる。
【０００５】
そして、上記セルフテストテーブルは、上記所定の試験信号と、これに対する応答信号の正常、不良の判別結果に応じて送信される制御信号とを、書き換え可能に記憶できる構成にしており、予め、実施する予定の動作確認試験の態様をこのセルフテストテーブルに記憶しておけば、現場に設置された火災感知器の種別や、付帯設備などに応じた火災感知器のローカル動作試験を選択して、実施できる。
【発明の実施の形態】
以下に、本発明の実施の形態について、図面とともに説明する。
【０００６】
図１は、本発明の火災受信システムの一実施例を説明するための概略ブロック図である。
【０００７】
ビルやマンション等には、火災受信機Ａと火災感知器Ｂとの間で時分割多重伝送方式で信号を送受する感知器回線Ｌを接続して、双方向で信号を送受するようにした多重伝送火災受信システムが導入され、例えば、各部屋やフロアなどに火災感知器Ｂ、Ｂ…を設置すると共に、集中監視室や管理人室などに火災受信機Ａを設置し、その火災感知器Ｂの煙濃度や周囲温度などのデータを基に、火災の発生を監視する。
【０００８】
火災受信機Ａは、感知器回線Ｌに、感知器アドレスを異ならせて指定したポーリング信号を順次出力するとともに、そのポーリング信号に対する火災感知器からの応答信号を受信処理するためのポーリング制御部１と、応答信号を受信した火災感知器Ｂを指定して、順次、所定の試験信号を出力したときに、返信されて来る応答信号を解読することによって、火災感知器Ｂの応答制御動作を解読して、正常、不良を判別し、その判別結果に応じて、予め準備されている制御信号を送信する制御手段２とを備えている。
【０００９】
ポーリング制御部１は、火災感知器Ｂとの通信を行うための伝送ＣＰＵ３と、火災感知器Ｂの動作確認灯（又は鳴動手段）７を制御するための感知器制御部４で構成している。
【００１０】
制御手段２は、火災感知器Ｂの種別管理を行うと共に、火災感知器Ｂの上記応答制御動作を解読して、その正常、不良を判別し、その判別結果に応じて、予め準備されている制御信号を火災感知器Ｂに送信するもので、上記応答制御動作としては、火災感知器Ｂの通信動作、火災感知器Ｂの疑似試験発報動作、火災感知器Ｂの動作確認灯７の動作のうちから、任意の１以上を選択して行なわれる。
【００１１】
ここで、火災感知器Ｂの通信動作とは、火災感知器Ｂが感知器回線Ｌに接続されたときに、火災受信機１に返信される返信信号の有、無の動作、疑似試験発報動作とは、火災感知器Ｂの検知部は動作させずに、ＣＰＵで発報処理を行ない、火災受信機１に発報信号を返信する動作、動作確認灯の動作とは、動作確認灯を点灯、あるいは点滅させる動作を意味する。
【００１２】
制御手段２には、図３で示すように、火災感知器Ｂに送信した所定の試験信号に対して、火災感知器Ｂから受信した応答信号の正常、不良の判別結果と、これに応じて送信される制御信号とを対応させて、予め記憶させた、セルフテストテーブルを備えており、このセルフテストテーブルは、書き換え可能に記憶できるようにしている。
【００１３】
なお、火災受信機Ａには、タイマー５を設けても良く、このタイマー５で上記動作確認灯の動作を一定時間だけ起動させることができる。
【００１４】
火災感知器Ｂは、感知器ベース５と、これに取付けされる感知器ヘッド６より成り、この火災感知器Ｂには、ＬＥＤ等の動作確認灯７或いはブザー等の鳴動手段を有している。
【００１５】
ついで、火災感知器Ｂのローカル動作確認方法を、図２のフローチャートとともに説明する。
【００１６】
先ず、火災感知器Ｂの施工時に、火災受信機Ａをローカル動作確認モードに設定しておき、火災感知器Ｂの感知器ベース５に信号を送りながら、感知器ヘッド６を順次接続して行く（Ｓ１）。
【００１７】
このとき、火災受信機Ａとの接続確認に異常があれば、火災感知器Ｂの動作確認灯７は、消灯状態を維持する（Ｓ２、Ｓ３）。
【００１８】
この動作確認灯７を見て、現場では、感知器ヘッド６以外の不良を直ちに確認でき、この消灯された動作確認灯７に接続されている伝送線、ベースの不良のため配線、感知器ベース５などを正常なものに取替える（Ｓ４）。
【００１９】
一方、火災受信機Ａとの接続確認が正常であれば、接続された火災感知器Ｂの種別情報が、火災受信機１に送信され、これを受信した火災受信機１は、火災試験コマンド信号を送信して、上記火災感知器Ｂからローカル動作試験の結果が返信される（Ｓ５〜Ｓ７）。
【００２０】
このとき、試験結果に異常があれば、火災感知器Ｂの動作確認灯７は、点滅され、タイマー５による一定時間経過後、これを消灯する（Ｓ８〜Ｓ１１）。
【００２１】
この動作確認灯７を見て、現場では、感知器ヘッド６の不良を直ちに確認でき、この点滅された動作確認灯７に接続されている感知器ヘッド６の取替え作業等を行い、これを正常なものに取替える（Ｓ１２）。
【００２２】
また、ローカル動作試験の結果が正常であれば、火災感知器Ｂの動作確認灯７は、点灯され、タイマー５による一定時間経過後、これを消灯する（Ｓ１３〜Ｓ１６）。
【００２３】
この動作確認灯７を見て、現場では、火災感知器Ｂが正常であることを直ちに確認でき、次の火災感知器Ｂの接続作業に取りかかるのである（Ｓ１７）。
【００２４】
なお、本実施例では、動作確認灯７の点灯、点滅、或いは消灯動作によって火災感知器Ｂの正常、異常を判別するようにしているが、これに代えて、警報音などを鳴動させたり、或いは、両者を組み合わせて使用しても構わない。
【発明の効果】
以上の説明からも理解できるように、
本発明の多重伝送火災受信システムによれば、火災受信機の制御信号により、火災感知器のローカル動作確認を、火災感知器を設置している現場ででき、また、どんな試験を行ない、その結果、どんな動作を行なわせるかを、火災受信機側のセルフテストテーブルによって記憶できる。
そして、セルフテストテーブルを書き換えすれば、火災感知器のローカル動作確認を所望の動作によって確認できる。
【図面の簡単な説明】
【図１】本発明の火災受信システムの一実施例を説明するための概略ブロック図
【図２】火災感知器のローカル動作確認方法を示すフローチャート
【図３】本発明のセルフテストテーブルの一例を示すテーブル図
【図４】従来の火災感知器のローカル動作確認方法を説明するために示した多重伝送火災受信システムの概略図
【符号の説明】
Ａ    火災受信機
Ｂ    火災感知器
Ｌ    感知器回線
１    ポーリング制御部
２    制御手段
７    動作確認灯（鳴動手段）
【図１】
0003791467.tif 000002
【図２】
0003791467.tif 000003
【図３】
0003791467.tif 000004
【図４】
0003791467.tif 000005